(57)【特許請求の範囲】
【請求項１】
浴槽本体の一側に洗い場部を一体に設けて成り、通常の向きとした浴槽本体及び洗い場部の上に上下逆さまとした浴槽本体及び洗い場部を、前記上下逆さまとした浴槽本体が前記通常の向きとした洗い場部の上になり、かつ、前記上下逆さまとした洗い場部が前記通常の向きとした浴槽本体の上になるように載置したのち、前記上下逆さまとした浴槽本体及び洗い場部の裏面上に通常の向きとした浴槽本体及び洗い場部を載置することにより、複数積み重ねが可能とした浴槽において、
前記浴槽本体及び前記洗い場部の裏面に補強リブを突設するとともに、上下逆さまにした浴槽上に通常の向きとした浴槽を積載した時に、上の浴槽の補強リブと下の浴槽の補強リブとが交差する部分で係合し、上側浴槽の下側浴槽に対する位置ずれを規制する係合部を前記補強リブに一体形成していることを特徴とする浴槽。
【請求項２】
係合部が凹溝からなり、凹溝の左右内側面が凹溝の開口に向って末広がりとなるように形成していることを特徴とする請求項１に記載の浴槽。
【発明の詳細な説明】
【０００１】
【発明の属する技術分野】
本発明は、浴槽本体の一側に洗い場部を一体に設けてなる浴槽に関する。
【０００２】
【従来の技術】
一般にこの種の浴槽は、略箱状の浴槽本体の一側下部に略平板状の洗い場部を一体形成しているが、この浴槽を複数個輸送する場合には、先ず、一つの浴槽を通常の向きに置き、その浴槽本体及び洗い場部の上に、もう一つの浴槽を逆さまにして、その浴槽本体を洗い場部上に、また洗い場部を浴槽本体上に載置すると共に、更にこの上下逆さまとした浴槽上に、通常の向きとした浴槽を載置して、浴槽本体の裏面を洗い場部の裏面上に、また洗い場部の裏面を浴槽本体の裏面上にそれぞれ載置するようにして、複数の浴槽を順次、嵩低く積み重ねるようにしている。
【０００３】
【発明が解決しようとする課題】
ところで以上の浴槽を前述のごとく上下に積み重ねた場合において、例えば搬送途中に、逆さまに置かれた浴槽に対し、その上に載置した浴槽が不用意にずれ動いて、荷崩れが生じる虞がある。そのため従来では以上の不具合を解消する方法として、例えば専用の積載板を用意して、逆さまに置かれた浴槽とその上に載置する浴槽との間に、この積載板を介装するようにしたものが開発されているが、かかる方法では、専用の積載板を必要とするので、コスト高となるし、また積載板のセットに手間を要する。
【０００４】
また例えば実開昭６２−１６１８９１号公報に示されているように、浴槽と洗い場部の裏面に突起を突設すると共に、これら突起に嵌合可能な連結筒を別途形成し、浴槽を積み重ねる際、突起を対向させて、これら両突起に、別途形成した連結筒を嵌合することで、該連結筒を介して両突起を連結して、上下に積み重ねた浴槽が不用意にずれ動かないようにしたものも開発されているが、前記公報に記載された構造の浴槽では、この浴槽を複数積み重ねるに際して別途連結筒を用意する必要があり、それだけ部品点数が増えるのは勿論のこと、浴槽を積み重ねる際、その都度連結筒を両突起に嵌め込む作業が必要となり、全体として積み重ね時の作業性が悪いものである。
【０００５】
本発明は以上の実情に鑑みて開発したものであって、目的とするところは、積載板や連結部材等を別途用意せずとも、迅速且つ容易に積み重ね作業が行え、しかも積み重ねた浴槽が不用意にずれ動くことのない浴槽を提供するにある。
【０００６】
【課題を解決するための手段】
以上の目的を達成するために請求項１の発明は、浴槽本体の一側に洗い場部を一体に設けて成り、通常の向きとした浴槽本体及び洗い場部の上に上下逆さまとした浴槽本体及び洗い場部を、前記上下逆さまとした浴槽本体が前記通常の向きとした洗い場部の上になり、かつ、前記上下逆さまとした洗い場部が前記通常の向きとした浴槽本体の上になるように載置したのち、前記上下逆さまとした浴槽本体及び洗い場部の裏面上に通常の向きとした浴槽本体及び洗い場部を載置することにより、複数積み重ねが可能とした浴槽において、前記浴槽本体及び前記洗い場部の裏面に補強リブを突設するとともに、上下逆さまにした浴槽上に通常の向きとした浴槽を積載した時に、上の浴槽の補強リブと下の浴槽の補強リブとが交差する部分で係合し、上側浴槽の下側浴槽に対する位置ずれを規制する係合部を前記補強リブに一体形成している。
【０００７】
また請求項２記載の発明は、請求項１記載の浴槽において、係合部が凹溝からなり、凹溝の左右内側面が凹溝の開口に向って末広がりとなるように形成している浴槽である。
【０００８】
【発明の実施の形態】
図に示す浴槽は合成樹脂材料（ＦＲＰ）から一体形成したものであって、平面視略矩形とした箱状の浴槽本体１と、この浴槽本体１の一側上端から下方に延びるエプロン部２と、このエプロン部２の下端から略水平方向に屈曲する平板状の洗い場部３とを備えている。
【０００９】
そして以上の浴槽本体１の裏面には、該裏面の周縁部を囲む第１補強リブ１１と、第１補強リブ１１から洗い場部３方向に延びる第２補強リブ１２と、前記第１補強リブ１１内において十字状にクロスする第３補強リブ１３とを一体形成し、また洗い場部３の裏面には、所定間隔開けて平行に延びる複数本の第４補強リブ３１と、この第４補強リブ３１に対して直交する方向に延びる複数本の第５補強リブ３２とを一体形成している。
【００１０】
しかして以上の構成から成る浴槽において、本発明は、浴槽本体１と洗い場部３の裏面に、上下逆さまにした浴槽上に通常の向きとした浴槽を積み重ねた時に互いに係合し合って上側浴槽の下側浴槽に対する位置ずれを規制する係合部５を設け、上下逆さまとした浴槽Ａ２の裏面上に、通常の向きとした浴槽Ａ１を載置した際に、積み重ねた両浴槽が相対的に位置ずれするのを前記係合部５を介して阻止するようにしたのである。
【００１１】
即ち図に示す実施形態では、浴槽本体１の裏面に突設した前記第１補強リブ１１及び第２補強リブ１２に、それぞれ下方に突出する側面視略台形の第１突片４ａ・４ｂを、また第１補強リブ１１に、前記第１突片４ａ・４ｂよりも高さの低い側面視略台形の第２突片４ｃを突設する。一方、前記洗い場部３の裏面に突設した前記第４補強リブ３１で且つ前記浴槽本体１の裏面上に洗い場部３を載置した時に前記各第１突片４ａ・４ｂと対向する位置には、側面視略台形の第３突片４ｄ・４ｅを、また第２突片４ｃと対向する位置には、前記第３突片４ｄ・４ｅよりも高さの低い側面視略台形の第４突片４ｆをそれぞれ突設する。
【００１２】
そして以上の第１突片４ａ・４ｂ及び第３突片４ｄ・４ｅの遊端部には、凹溝５０から成る係合部５を形成すると共に、この凹溝５０の左右内側面を、該凹溝５０の開口に向かって末広がりとなる傾斜面としている。以上の構成からなる浴槽は、保管乃至輸送するに際して、図８に示すように、通常の向きとした浴槽Ａ１上に、上下逆さまとした浴槽Ａ２を載置して、下方の浴槽Ａ１の浴槽本体１上に上方の浴槽Ａ２の洗い場部３を、また下方の浴槽Ａ１の洗い場部３上に上方Ａ２の浴槽の浴槽本体１をそれぞれ重ねたものを一組とし、この一組とした浴槽Ａ１・Ａ２上に、同様の一組の浴槽Ａ１・Ａ２を順次積み重ねるのである。
【００１３】
しかして前述のごとく一組とした浴槽Ａ１・Ａ２上に、同様の一組の浴槽Ａ１・Ａ２を積み重ねるに際して、図１０に示すように第２突片４ｃを第４突片４ｆ上に当接させると共に、図９に示すように第３突片４ｄ・４ｅの係合部５を、第１突片４ａ・４ｂの係合部５にそれぞれ係合させるのであって、これに伴い、積み重ねられた上方の浴槽が、下方の浴槽に対して左右前後に位置ずれするようなことがなく、安定的に浴槽が積み重ねられるので、不用意に荷崩れが生じるようなことがない。
【００１４】
斯くして、以上の実施形態では、係合部を構成する凹溝５０の左右内側面が、該凹溝５０の開口に向かって末広がりとなる傾斜面に形成されているので、浴槽の積み重ね位置が上下で多少ずれていても、凹溝５０の左右内側面の案内により、第１突片４ａ・４ｂの係合部５が第３突片４ｄ・４ｅの係合部５にスムーズに係合して、前述した浴槽の積み重ね位置のずれが修正されるのである。
【００１５】
また以上の実施形態では、係合部５を補強リブ１１・１２・３１に一体形成しているので、前述のごとく浴槽が積み重ねられても、浴槽の荷重が係合部５を介して補強リブ１１・１２・３１で受け止められ、浴槽本体１乃至洗い場部３が変形し難いのである。
【００１６】
【発明の効果】
以上のごとく、請求項１記載の発明によれば、浴槽本体の一側に洗い場部を一体に設けて成り、通常の向きとした浴槽本体及び洗い場部の上に上下逆さまとした浴槽本体及び洗い場部を、前記上下逆さまとした浴槽本体が前記通常の向きとした洗い場部の上になり、かつ、前記上下逆さまとした洗い場部が前記通常の向きとした浴槽本体の上になるように載置したのち、前記上下逆さまとした浴槽本体及び洗い場部の裏面上に通常の向きとした浴槽本体及び洗い場部を載置することにより、複数積み重ねが可能とした浴槽において、前記浴槽本体及び前記洗い場部の裏面に補強リブを突設するとともに、上下逆さまにした浴槽上に通常の向きとした浴槽を積載した時に、上の浴槽の補強リブと下の浴槽の補強リブとが交差する部分で係合し、上側浴槽の下側浴槽に対する位置ずれを規制する係合部を前記補強リブに一体形成したことにより、従来のように積載板や連結部材等を別途用意せずとも、浴槽を積み重ねるだけで、直ちに上下両浴槽の浴槽本体と洗い場部の裏面にそれぞれ設けた係合部が互いに係合し合って、積み重ねた浴槽が不用意にずれ動くのを確実に阻止することが出来、全体として浴槽の積み重ねが迅速且つ容易に行うことが出来るのである。また、浴槽の積み重ね時、浴槽の荷重が係合部を介して補強リブで受け止められ、浴槽本体や洗い場部が不用意に変形するのを抑制することも出来る。
【００１７】
また請求項２記載の発明によれば、係合部が凹溝からなり、凹溝の左右内側面が凹溝の開口に向って末広がりとなるように形成したことにより、浴槽の積み重ね位置が上下で多少ずれていても、凹溝の左右内側面の案内により、係合部と係合部とがスムーズに係合して、前述した浴槽の積み重ね位置のずれを修正が出来る。
【図面の簡単な説明】
【図１】 本発明にかかる浴槽の裏面図。
【図２】 図１におけるＳ−Ｓ部分の拡大矢視図。
【図３】 図１におけるＴ−Ｔ部分の拡大矢視図。
【図４】 図１におけるＵ−Ｕ部分の拡大矢視図。
【図５】 図１におけるＶ−Ｖ部分の拡大矢視図。
【図６】 図１におけるＷ−Ｗ部分の拡大矢視図。
【図７】 図１におけるＸ−Ｘ部分の拡大矢視図。。
【図８】 浴槽を重ねた状態の概略断面図。
【図９】 浴槽を重ねた状態の要部の概略説明図。
【図１０】 浴槽を重ねた状態の要部の概略説明図。
【符号の説明】
１     浴槽本体
１１   第１補強リブ
１２   第２補強リブ
１３   第３補強リブ
３     洗い場部
３１ 第４補強リブ
３２ 第５補強リブ
５   係合部
【図１】
0004067155.tif 000002
【図２】
0004067155.tif 000003
【図３】
0004067155.tif 000004
【図４】
0004067155.tif 000005
【図５】
0004067155.tif 000006
【図６】
0004067155.tif 000007
【図７】
0004067155.tif 000008
【図８】
0004067155.tif 000009
【図９】
0004067155.tif 000010
【図１０】
0004067155.tif 000011